(57)【要約】【課題】  板状ラック部材に少し改良を加えるだけの簡単な構成で、ストローラック上の藁屑を十分に解しながら篩い選別することの可能な脱穀装置。【解決手段】  穀稈を脱穀処理する脱穀部と、脱穀部からの脱穀処理物を搬送しながら揺動選別する揺動選別部を備え、多数の板状ラック部材１０ａからなるストローラック１０が、揺動選別部に連結された揺動枠２０に取り付けられてその揺動選別部の搬送方向の終端近くに配置されている脱穀装置で、板状ラック部材１０ａが、搬送方向上手側に位置する基端部を揺動枠２０に固定され搬送方向下手側に位置する先端部を自由端とする片持ち状に構成され、板状ラック部材１０ａの自由先端側が、垂直方向Ｖに対して斜めに傾斜されて、揺動枠２０の揺動に伴って搬送方向視において左右横方向に横揺れするように構成されている。【選択図】        図８
2006246779.tif 000002
【特許請求の範囲】
【請求項１】
穀稈を脱穀処理する脱穀部と、その脱穀部からの脱穀処理物を搬送しながら揺動選別する揺動選別部を備え、多数の板状ラック部材からなるストローラックが、前記揺動選別部に連結された揺動枠に取り付けられてその揺動選別部の搬送方向の終端近くに配置されている脱穀装置であって、
前記板状ラック部材が、前記搬送方向上手側に位置する基端部を前記揺動枠に固定され搬送方向下手側に位置する先端部を自由端とする片持ち状に構成され、その板状ラック部材の自由先端側が、垂直方向に対して斜めに傾斜されて、前記揺動枠の揺動に伴って前記搬送方向視において左右横方向に横揺れするように構成されている脱穀装置。
【請求項２】
前記板状ラック部材が、その基端部から自由先端部にわたって垂直方向に対して左側または右側へ斜めに傾斜されていて、その左側傾斜と右側傾斜の板状ラック部材が、前記搬送方向に直交する方向に沿って交互に配置されている請求項１に記載の脱穀装置。
【発明の詳細な説明】
【技術分野】
【０００１】
本発明は、穀稈を脱穀処理する脱穀部と、その脱穀部からの脱穀処理物を搬送しながら揺動選別する揺動選別部を備え、多数の板状ラック部材からなるストローラックが、前記揺動選別部に連結された揺動枠に取り付けられてその揺動選別部の搬送方向の終端近くに配置されている脱穀装置に関する。
【背景技術】
【０００２】
このような脱穀装置のストローラックは、穀粒が含まれている藁屑を揺動させて藁屑と穀粒を篩い選別するもので、多数の板状ラック部材が垂直方向に沿って配置されている。
そして、従来、その多数の板状ラック部材の基端部が、揺動選別部に連結された揺動枠に取り付けられ、さらに、その先端部も枠体によって互いに連結されて一体化されているのが一般的であり、その他、先端部が自由端とされたものも知られている（例えば、特許文献１参照）。
【０００３】
【特許文献１】特開２００２−２０４６１５号公報
【発明の開示】
【発明が解決しようとする課題】
【０００４】
しかしながら、いずれにせよ、従来のストローラックでは、多数の板状ラック部材が垂直方向に沿って配置されていたので、揺動選別部の揺動駆動に伴って、各板状ラック部材は、その垂直方向に向く板面を垂直方向に沿って揺動移動させるため、ストローラック上の藁屑を十分に解しながら篩い選別するという作用に乏しく、この点に改良の余地があった。
【０００５】
本発明は、このような従来の問題点に着目したもので、その目的は、板状ラック部材に少し改良を加えるだけの簡単な構成で、ストローラック上の藁屑を十分に解しながら篩い選別することの可能な脱穀装置を得ることにある。
【課題を解決するための手段】
【０００６】
本発明の第１の特徴構成は、穀稈を脱穀処理する脱穀部と、その脱穀部からの脱穀処理物を搬送しながら揺動選別する揺動選別部を備え、多数の板状ラック部材からなるストローラックが、前記揺動選別部に連結された揺動枠に取り付けられてその揺動選別部の搬送方向の終端近くに配置されている脱穀装置であって、前記板状ラック部材が、前記搬送方向上手側に位置する基端部を前記揺動枠に固定され搬送方向下手側に位置する先端部を自由端とする片持ち状に構成され、その板状ラック部材の自由先端側が、垂直方向に対して斜めに傾斜されて、前記揺動枠の揺動に伴って前記搬送方向視において左右横方向に横揺れするように構成されているところにある。
【０００７】
本発明の第１の特徴構成によれば、ストローラックを構成する板状ラック部材が、揺動選別部の搬送方向上手側に位置する基端部を揺動枠に固定され搬送方向下手側に位置する先端部を自由端とする片持ち状に構成され、その板状ラック部材の自由先端側が、垂直方向に対して斜めに傾斜されて、揺動枠の揺動に伴って搬送方向視において左右横方向に横揺れするように構成されているので、ストローラック上に藁屑が載ると、その藁屑の重量によって板状ラック部材には横方向への分力が発生して横揺れし、その後、板状ラック部材は復元力により元の位置へ戻ろうとする。
その結果、板状ストローラックは、藁屑の重量と揺動駆動によって自然に横揺れして藁屑を解しながら篩い選別することになり、板状ラック部材の自由先端側を傾斜させるだけの簡単な構成で、藁屑と穀粒との篩い選別を確実に実行して穀粒の回収率を向上させることができる。
【０００８】
本発明の第２の特徴構成は、前記板状ラック部材が、その基端部から自由先端部にわたって垂直方向に対して左側または右側へ斜めに傾斜されていて、その左側傾斜と右側傾斜の板状ラック部材が、前記搬送方向に直交する方向に沿って交互に配置されているところにある。
【０００９】
本発明の第２の特徴構成によれば、板状ラック部材が、その基端部から自由先端部にわたって垂直方向に対して左側または右側へ斜めに傾斜されているので、藁屑が基端部側に載っても自由先端部が横揺れすることがあり、板状ラック部材の自由先端側の横揺れが確実となる。
そして、その左側傾斜と右側傾斜の板状ラック部材が、搬送方向に直交する方向に沿って交互に配置されているので、藁屑は左側と右側への複合的な横揺れによって解されることになり、藁屑と穀粒との篩い選別がより一層確実で良好なものとなる。
【発明を実施するための最良の形態】
【００１０】
本発明による脱穀装置の実施の形態を図面に基づいて説明する。
この脱穀装置は、例えば、穀稈を刈り取る刈取前処理装置を備えたコンバインの走行機体に搭載されるもので、図１に示すように、フィードチェーン１により挟持搬送される穀稈を脱穀処理する脱穀部Ａと、その脱穀部Ａからの脱穀処理物を図中「Ｃ」で示す搬送方向に沿って搬送しながら揺動選別する揺動選別部Ｂを備えている。
脱穀部Ａは、図３にも示すように、コンバイン走行機体（図示せず）の前後方向軸心Ｌの周りに回転駆動される扱胴２と扱胴２の下方に沿って張設される受網３などで構成され、脱穀後の脱穀処理物が、受網３や扱胴２の後方側に位置する送塵口４を通って下方に位置する揺動選別部Ｂへ供給されるように構成されている。
【００１１】
揺動選別部Ｂは、図２にも示すように、合成樹脂製のシーブケース５を備えていて、そのシーブケース５の前方側が、リンク機構６を介して脱穀装置の内壁に前後方向に揺動自在に支持され、かつ、後方側に偏心駆動機構７が設けられ、その偏心駆動機構７のクランク運動に伴って、シーブケース５が、前後方向運動と上下方向運動との合成運動によって揺動駆動されるように構成されている。
そのシーブケース５に対して、搬送方向Ｃの上手側から下手側に向けて、前部グレンパン８、チャフシーブ９、ストローラック１０が取り付けられ、チャフシーブ９の後方上方には送塵口受け具１１が、チャフシーブ９の下方にはグレンシーブ１２が配置されて、それぞれシーブケース５に取り付けられている。
【００１２】
このような揺動選別部Ｂにおいて、前部グレンパン８は、受網３からの漏下処理物や後述する二番物還元装置からの還元処理物を揺動によって後方へ搬送しながら比重選別し、チャフシーブ９は、前部グレンパン８からの落下処理物などを後方へ搬送しながら篩い選別し、さらに、グレンシーブ１２は、チャフシーブ９からの漏下処理物を篩い選別する。
そして、送塵口受け具１１は、送塵口４から排出される処理物を揺動によって後方へ搬送しながら篩い選別し、揺動選別部Ｂの搬送方向Ｃの終端近くに配置されるストローラック１０は、送塵口受け具１１やチャフシーブ９からの処理物を篩い選別するように構成されている。
【００１３】
それに加えて、前部グレンパン８の前方下方に配置される唐箕１３からの選別風が、前部グレンパン８、チャフシーブ９、グレンシーブ１２、送塵口受け具１１、さらには、ストローラック１０からの落下処理物に作用して藁屑などを脱穀装置外へ吹き飛ばし、ストローラック１０の上方に配置される排塵ファン１４が、揺動選別部Ｂで発生する浮遊塵埃を吸引して脱穀装置外へ排出する。
そして、グレンシーブ１２から落下する一番物は、グレンシーブ１２の下方に配置される一番物回収用スクリューコンベヤ１５によって回収され、チャフシーブ９やストローラック１０などから落下する二番物は、ストローラック１０の前方下方に配置される二番物回収用スクリューコンベヤ１６により回収され、さらに、二番物還元装置１７によって前部グレンパン８上へ還元されるように構成されている。
【００１４】
チャフシーブ９は、図３〜図６に詳しく示すように、合成樹脂製の多数の板状チャフ部材９ａにより構成され、多数の板状チャフ部材９ａが、その長手方向を揺動選別部Ｂの搬送方向Ｃに直交する方向に向けて、かつ、搬送方向Ｃに沿って並設して取り付けられている。そのため、チャフシーブ９の両端部上方近くには、揺動選別部Ｂの搬送方向Ｃに沿う左右一対の固定リンク１８が設けられ、各板状チャフ部材９ａが、固定リンク１８から突設された固定用ピン１８ａの周りに回動自在に取り付けられている。
そして、各板状チャフ部材９ａの両端部のうち、コンバインの正面側から見た図３において右側、つまり、フィードチェーン１側の端部下方にのみ可動リンク１９が設けられ、各板状チャフ部材９ａの右側端部下方が、可動リンク１９から突設された可動用ピン１９ａの周りに回動自在に取り付けられ、間隔変更用の人為操作具２１を操作することにより可動リンク１９を矢印方向にスライドさせて、各板状チャフ部材９ａ間の間隔Ｄを変更できるように構成されている。
【００１５】
換言すると、チャフシーブ９を構成する板状チャフ部材９ａは、その両端部の上方が固定用ピン１８ａを介して固定リンク１８に支持され、両端部の下方は、フィードチェーン１側のみが可動用ピン１９ａを介して可動リンク１９に支持され、フィードチェーン１の反対側の端部下方は自由端とされ、それによって、各板状チャフ部材９ａ間の間隔Ｄが変更可能に構成されるとともに、チャフシーブ９上に落下する脱穀処理物の量に即した篩い選別が可能なように構成されている。
すなわち、図３において、扱胴２が時計方向に回転するため、脱穀処理物はどうしても左側、つまり、フィードチェーン１の反対側に偏り、チャフシーブ９の左側に比較的多量の処理物が落下する。しかし、各板状チャフ部材９ａの左側端部下方が自由端となっているため、各板状チャフ部材９ａは、図６に示すように、処理物の重量によって各チャフ部材９ａ間の隙間Ｄを左側ほど大きく広げるように撓む。
その結果、各チャフ部材９ａ間の隙間Ｄは、比較的多量の処理物が落下するフィードチェーン１の反対側ほど広く、比較的少量の処理物が落下するフィードチェーン１側ほど狭くなって、脱穀処理物の量に即した篩い選別が可能となる。
【００１６】
ストローラック１０は、図７および図８に詳しく示すように、ばね鋼からなる多数の板状ラック部材１０ａにより構成され、多数の板状ラック部材１０ａが、その長手方向を揺動選別部Ｂの搬送方向Ｃに沿う方向に向けて、かつ、搬送方向Ｃに直交する方向に沿って並設されている。
各板状ラック部材１０ａの基端部、つまり、揺動選別部Ｂの搬送方向Ｃの上手側に位置する端部には、その板状ラック部材１０ａをＬ字状に折曲して形成した取り付け片１０ｂが一体的に設けられ、その取り付け片１０ｂを介して、各板状ラック部材１０ａは、その基端部がシーブケース５に連結された揺動枠２０に固定され、搬送方向Ｃの下手側に位置する先端部を自由端とする片持ち状に構成されている。
【００１７】
そして、各板状ラック部材１０ａは、その基端部から自由先端部にわたって垂直方向Ｖに対して左側または右側に所定の角度αを有して斜めに傾斜された状態で、かつ、その左側傾斜と右側傾斜の板状ラック部材１０ａが、搬送方向Ｃに直交する方向に沿って交互に配置されて揺動枠２０に取り付けられている。
したがって、各板状ラック部材１０ａは、図８に示すように、搬送方向Ｃから見た搬送方向視において、板状ラック部材１０ａ上への処理物の載置によってその重量により横方向へ横揺れし、その後、ばね鋼からなる板状ラック部材１０ａの復元力によって逆方向へ横揺れすることになり、その結果、ストローラック１０上の処理物は、各板状ラック部材１０ａの横揺れにより十分に解されながら選別されて確実な選別が可能となる。
【００１８】
〔別実施形態〕
（１）先の実施形態では、ストローラック１０を構成する各板状ラック部材１０ａにおいて、その基端部から自由先端部までの全長にわたって角度αを有するように傾斜させて取り付けた例を示したが、各板状ラック部材１０ａの自由先端側のみを傾斜させて実施することもでき、また、いずれにせよ、多数の板状ラック部材１０ａにおいて、その全てを傾斜させる必要はなく、例えば、ひとつ置きや二つ置きに傾斜させた板状ラック部材１０ａを配置して実施することもできる。
なお、板状ラック部材１０ａの傾斜角度αは、その板状ラック部材１０ａの自由先端側を所望どおりに横揺れさせるためのものであり、具体的には、板状ラック部材１０ａの弾性力や長さ、さらには、ストローラック１０上に落下供給される処理物の重量などを考慮して適宜決定することになる。
【００１９】
（２）先の実施形態では、板状ラック部材１０ａをばね鋼で形成した例を示したが、ばね鋼以外にも、例えば、鉄をはじめとする各種の金属や合成樹脂など、適度な弾性力を有する各種の材料で形成することができる。
また、本発明の脱穀装置は、先の実施形態で示したコンバイン用の脱穀装置に限るものではなく、定置式の脱穀装置においても適用可能である。
【図面の簡単な説明】
【００２０】
【図１】脱穀装置の概略側面図
【図２】揺動選別部の平面図
【図３】脱穀部の縦断正面図
【図４】チャフシーブの一部切欠き側面図
【図５】チャフシーブの一部切欠き正面図
【図６】チャフシーブの平面図
【図７】ストローラックの側面図
【図８】ストローラックの背面図
【符号の説明】
【００２１】
１０    ストローラック
１０ａ  板状ラック部材
２０    揺動枠
Ａ      脱穀部
Ｂ      揺動選別部
Ｃ      揺動選別部の搬送方向
Ｖ      垂直方向
【図１】
2006246779.tif 000003
【図２】
2006246779.tif 000004
【図３】
2006246779.tif 000005
【図４】
2006246779.tif 000006
【図５】
2006246779.tif 000007
【図６】
2006246779.tif 000008
【図７】
2006246779.tif 000009
【図８】
2006246779.tif 000010